(57)【要約】【課題】製造コストを抑えつつもレンズホルダー側と前ケース側とを好適に密着させることができるとともに、組み立ても簡易なインターホン機器及びインターホン機器の組み立て方法を提供する。【解決手段】前ケース２に、レンズホルダー２１の周面部２３が当接可能な球面を有するリブ１２を設ける一方、後ケース３に、レンズホルダー２１の軸部２４、２４が入り込み可能なＵ字状の切り欠きを有する軸支部１４、１４を設けており、軸部２４、２４の外周面の後側半分のみを軸支部１４、１４の切り欠きの内縁に当接させた状態で、レンズホルダー２１を軸支可能とした。また、レンズホルダー２１を、その周面部２３をリブ１２の内周面に当接させて前ケース２の後面側に載置した後、軸支部１４、１４の切り欠き内へ軸部２４、２４を入り込ませつつ、後ケース３を前ケース２の後面側に組み付けることで、インターホン子機１の組み立てを可能とした。【選択図】図８
2017034300.tif 000002
【特許請求の範囲】
【請求項１】
前ケースと後ケースとを組み付けてなる本体ケース内に、前記本体ケースの前方を撮像するカメラを、そのチルト角度を調整可能に取り付けてなるインターホン機器であって、
前記カメラのレンズを、左右方向外側へ突設された一対の軸部を有するレンズホルダーに保持させるとともに、前記レンズホルダーの表面に球状面を形成する一方、
前記前ケースの前面に、前記レンズを露出させるためのカメラ窓を開設するとともに、前記前ケースの前面の内面側に、前記球状面が当接可能な球面を有する当接面部を設け、
さらに、前記後ケースに、前記レンズホルダーの前記軸部の外周面の後側にのみ当接して前記軸部を支持する支持部を設けたことを特徴とするインターホン機器。
【請求項２】
前ケースと後ケースとを組み付けてなる本体ケース内に、前記本体ケースの前方を撮像するカメラが、そのチルト角度を調整可能に取り付けられており、前記カメラのレンズが、左右方向外側へ突設された一対の軸部を有するレンズホルダーに保持されているとともに、前記レンズホルダーの表面に球状面が形成されている一方、前記前ケースの前面に、前記レンズを露出させるためのカメラ窓が開設されているとともに、前記前ケースの前面の内面側に、前記球状面が当接可能な球面を有する当接面部が設けられ、さらに、前記後ケースに、前記レンズホルダーの前記軸部の外周面の後側にのみ当接して前記軸部を支持する支持部が設けられたインターホン機器の組み立て方法であって、
前記前ケースの内面側において、前記球状面を当接させた状態で前記当接面部上に前記レンズホルダーを配する第１工程と、
前記当接面部上に配された前記レンズホルダーの前記軸部に対し、その外周面の後側に前記支持部の先端側を当接させつつ、前記前ケースの後面側に前記後ケースを組み付ける第２工程と
を実行することを特徴とするインターホン機器の組み立て方法。
【発明の詳細な説明】
【技術分野】
【０００１】
本発明は、たとえば来訪者等を撮像するためのカメラを備えたインターホン機器、及び当該インターホン機器の組み立て方法に関するものである。
【背景技術】
【０００２】
従来、たとえば玄関等に設置されるインターホン子機といったインターホン機器には、来訪者を撮像する等のためのカメラが備えられている。また、カメラにおいて、左右方向を軸として回転するレンズホルダーにレンズを保持させることにより、インターホン機器の設置環境等に応じて上下方向での撮像角度、すなわちチルト角度を調整可能としたものも考案されている。
【０００３】
そして、そのようなチルト角度を調整可能なカメラを備えたインターホン機器にあっては、たとえば特許文献１に記載されているように、カメラのレンズを囲むレンズホルダーの周面部を所定の球状面として形成する一方、前ケースに、レンズホルダーの球状面が当接可能な球状の当接面を形成する。また、レンズホルダーに一対の軸部を突設させる一方、前ケースの内面に、軸部が挿通可能な軸孔を有する軸支部を設ける。そして、レンズホルダーの周面部を当接面に当接させつつ、レンズホルダーを軸支部に軸支させることにより、レンズホルダーの周面部と当接面とを密着させた状態で、レンズホルダーを前ケース側に取り付けていた。
【先行技術文献】
【特許文献】
【０００４】
【特許文献１】特開２００８−２０５９３４号公報
【発明の概要】
【発明が解決しようとする課題】
【０００５】
しかしながら、上述したように軸部を軸孔に挿通させて軸支させつつ、レンズホルダーの周面部と前ケースの当接面とを密着させようとすると、レンズホルダーの周面部と前ケースの当接面との形状に係る精度のみならず、軸部や軸孔の形状に係る精度等についてまで高い精度が求められる。したがって、実現には製造コストがかかるという問題がある。また、製造コストを抑えると、必然精度も下がるため、レンズホルダー側と前ケース側とを密着させることが難しく、結果としてレンズホルダーの前側に設けられるレンズカバー内で結露が発生してしまうことになる。
また、軸部を軸孔に挿通させて軸支させつつ、レンズホルダーの周面部と前ケースの当接面とを密着させる作業は、手間がかかって難しいという問題もある。
【０００６】
そこで、本発明は、上記問題に鑑みなされたものであって、製造コストを抑えつつもレンズホルダー側と前ケース側とを好適に密着させることができるとともに、組み立ても簡易なインターホン機器及びインターホン機器の組み立て方法を提供しようとするものである。
【課題を解決するための手段】
【０００７】
上記目的を達成するために、本発明のうち請求項１に記載の発明は、前ケースと後ケースとを組み付けてなる本体ケース内に、本体ケースの前方を撮像するカメラを、そのチルト角度を調整可能に取り付けてなるインターホン機器であって、カメラのレンズを、左右方向外側へ突設された一対の軸部を有するレンズホルダーに保持させるとともに、レンズホルダーの表面に球状面を形成する一方、前ケースの前面に、レンズを露出させるためのカメラ窓を開設するとともに、前ケースの前面の内面側に、球状面が当接可能な球面を有する当接面部を設け、さらに、後ケースに、レンズホルダーの軸部の外周面の後側にのみ当接して軸部を支持する支持部を設けたことを特徴とする。
請求項１に記載の発明によれば、後ケースに、レンズホルダーの軸部の外周面の後側にのみ当接して軸部を支持する支持部を設けている。すなわち、従来の如く軸孔に軸部を挿通させる等して軸部の外周面全てを支持するわけではないため、軸部や支持部の形状に係る精度等に従来ほどの精度を必要とすることなく、レンズホルダーの球状面と当接面部との密着状態を好適に維持したまま、レンズホルダーを回転可能に支持することができる。したがって、製造コストを抑えつつもレンズホルダー側と前ケース側とを良好に密着させることができるという効果がある。
【０００８】
また、上記目的を達成するために、本発明のうち請求項２に記載の発明は、前ケースと後ケースとを組み付けてなる本体ケース内に、本体ケースの前方を撮像するカメラが、そのチルト角度を調整可能に取り付けられており、カメラのレンズが、左右方向外側へ突設された一対の軸部を有するレンズホルダーに保持されているとともに、レンズホルダーの表面に球状面が形成されている一方、前ケースの前面に、レンズを露出させるためのカメラ窓が開設されているとともに、前ケースの前面の内面側に、球状面が当接可能な球面を有する当接面部が設けられ、さらに、後ケースに、レンズホルダーの軸部の外周面の後側にのみ当接して軸部を支持する支持部が設けられたインターホン機器の組み立て方法であって、前ケースの内面側において、球状面を当接させた状態で当接面部上にレンズホルダーを配する第１工程と、当接面部上に配されたレンズホルダーの軸部に対し、その外周面の後側に支持部の先端側を当接させつつ、前ケースの後面側に後ケースを組み付ける第２工程とを実行することを特徴とする。
請求項２に記載の発明によれば、前ケースの内面側において、球状面を当接させた状態で当接面部上にレンズホルダーを配した後、当接面部上に配されたレンズホルダーの軸部に対し、その外周面の後側に支持部の先端側を当接させつつ、前ケースの後面側に後ケースを組み付けるだけでインターホン機器を組み立てることができる。したがって、従来のように、軸部を軸孔に挿通させて軸支させつつ、レンズホルダーの周面部と前ケースの当接面とを密着させたりする必要がないため、インターホン機器の組み立て作業を簡易化することができる。
【発明の効果】
【０００９】
本発明によれば、後ケースに、レンズホルダーの軸部の外周面の後側にのみ当接して軸部を支持する支持部を設けている。すなわち、従来の如く軸孔に軸部を挿通させる等して軸部の外周面全てを支持するわけではないため、軸部や支持部の形状に係る精度等に従来ほどの精度を必要とすることなく、レンズホルダーの球状面と当接面部との密着状態を好適に維持したまま、レンズホルダーを回転可能に支持することができる。したがって、製造コストを抑えつつもレンズホルダー側と前ケース側とを良好に密着させることができるという効果がある。
また、前ケースの内面側において、球状面を当接させた状態で当接面部上にレンズホルダーを配した後、当接面部上に配されたレンズホルダーの軸部に対し、その外周面の後側に支持部の先端側を当接させつつ、前ケースの後面側に後ケースを組み付けるだけでインターホン機器を組み立てることができる。したがって、従来のように、軸部を軸孔に挿通させて軸支させつつ、レンズホルダーの周面部と前ケースの当接面とを密着させたりする必要がないため、インターホン機器の組み立て作業を簡易化することができる。
【図面の簡単な説明】
【００１０】
【図１】インターホン子機を前側から示した斜視説明図である。
【図２】前ケースを後側から示した斜視説明図である。
【図３】後ケースを前側から示した斜視説明図である。
【図４】レンズホルダーを前側から示した斜視説明図である。
【図５】レンズホルダーを後側から示した斜視説明図である。
【図６】インターホン子機のカメラ部位置における左右方向での断面を示した説明図である。
【図７】インターホン子機の左右方向での中央部における上下方向での断面を示した説明図である。
【図８】インターホン子機のレンズホルダーを支持する位置における上下方向での断面を示した説明図である。
【発明を実施するための形態】
【００１１】
以下、本発明の一実施形態となるインターホン子機について、図面にもとづき詳細に説明する。
【００１２】
図１は、インターホン子機１を前側から示した斜視説明図である。図２は、前ケース２を後側から示した斜視説明図である。図３は、後ケース３を前側から示した斜視説明図である。図４は、レンズホルダー２１を前側から示した斜視説明図である。図５は、レンズホルダー２１を後側から示した斜視説明図である。図６は、インターホン子機１のカメラ部４位置における左右方向での断面を示した説明図である。図７は、インターホン子機１の左右方向での中央部における上下方向での断面を示した説明図である。図８は、インターホン子機１のレンズホルダー２１を支持する位置における上下方向での断面を示した説明図である。
【００１３】
インターホン子機１は、前側に配置される前ケース２と、後側に配置される後ケース３とで構成される本体ケースと、前ケース２の前面を覆うように本体ケースの前面に取り付けられる化粧パネル４とを有している。そして、前ケース２の前面上部には、カメラ窓５が開設されており、カメラ窓５内にレンズ６が露出するように、カメラが本体ケース内に設置されている。また、化粧カバー４には、レンズ６を前側に露出させるためのレンズ用開口７が開設されており、レンズ用開口７には、レンズ６の前方を覆うためのレンズカバー８が取り付けられている。
【００１４】
一方、カメラ窓５の右側には、通話のためのマイク部９が設けられている。また、カメラ窓５の下側には、同じく来訪者が居住者と通話等するためのスピーカ部１０が設けられているとともに、スピーカ部１０の更に下側には、来訪者が居住者を呼び出す際に操作する呼出ボタン１１が設けられている。そして、このようなインターホン子機１は、住戸の玄関の壁面等に設置されており、来訪者によって呼出ボタン１１が操作されると、住戸内に設置されているインターホン親機（図示せず）を呼び出すとともに、カメラを作動させて来訪者を撮像する。なお、１５は、インターホン子機１を壁面等に取り付けるための基台である。また、カメラにより撮像された映像は、インターホン親機に備えられているモニタに表示される。
【００１５】
ここで、本発明の要部となるインターホン子機１におけるレンズホルダー２１の組み付け構造について詳細に説明する。
本体ケース内に設置されているカメラにおいて、レンズ６はレンズホルダー２１に保持されている。このレンズホルダー２１は、後側へ開口する合成樹脂製のカバー体であって、カメラ窓５と略同じ径となる正面視略円形に形成された前面の略中央には、前後方向へ延びる円筒状に形成され、レンズ６を内部に嵌め込んで保持可能なレンズ保持部２２の前側の開口が開いている。また、その前面の外周縁から後側へ延びる周面部２３の表面は、後端縁が最大径の円形となる球状面として形成されている。さらに、レンズホルダー２１における周面部２３の後端縁で、レンズホルダー２１後面の中心を通って対向する位置には、カメラのチルト角度を調整するための回動軸となる一対の軸部２４、２４が夫々径方向（左右方向）外側へ突設されている。なお、２５は、レンズホルダー２１の本体ケースに対する上下方向での角度、ひいてはカメラのチルト角度を調整するための操作摘みであり、左側の軸部２４に一体成形されている。また、２６は、レンズホルダー２１の後面側にカメラ基板２７をネジ止めするための基板固定部である。
【００１６】
一方、前ケース２の後面には、本体ケース内側へ起立するリブ１２がカメラ窓５の周縁に沿って周設されている。当該リブ１２の開口内面側（内周面）は、本体ケース内側へむかうにつれ徐々に開口外側へ膨出するように湾曲しており、レンズホルダー２１の周面部２３が当接可能な球面とされている。そして、リブ１２は、その内周面にレンズホルダー２１の周面部２３を密着させた状態でレンズホルダー２１を支持する支持壁として機能するようになっている。また、前ケース２の後面におけるリブ１２の左右外側には、種々の構造物が設けられているが、当該構造物におけるリブ１２に隣接する箇所には、前側へ凹んだ切り欠き１３、１３が設けられており、リブ１２にレンズホルダー２１を支持させた際、軸部２４、２４が切り欠き１３、１３内に位置することで、軸部２４、２４と構造物との干渉が回避されるようになっている。なお、各切り欠き１３は、軸部２４よりも十分に大きく形成されており、切り欠き１３によって軸部２４が軸支されることはない。
【００１７】
また、後ケース３の前面で、前ケース２への組み付け時にレンズホルダー２１の後側となる位置には、後側へＵ字状に凹んだ一対のＵ字状の切り欠きを有する軸支部１４、１４が設けられている。そして、後ケース３の前ケース２への組み付けに伴い、軸支部１４、１４の切り欠き内へレンズホルダー２１の軸部２４、２４が入り込み、切り欠きの内縁が軸部２４、２４の外周の後側半分にのみ当接した状態で、軸部２４、２４が軸支部１４、１４に軸支されるようになっている。
【００１８】
以上のようなレンズホルダー２１の組み付け構造を有するインターホン子機１は、以下のようにして組み立てられる。
まず、レンズ６を保持したレンズホルダー２１を、その周面部２３をリブ１２の内周面に当接させて前ケース２の後面側に載置する。このとき、レンズホルダー２１の軸部２４、２４は、切り欠き１３、１３内に位置しているものの、切り欠き１３、１３の内縁で支持されているわけではなく、レンズホルダー２１は、リブ１２によってのみ、すなわちリブ１２の内周面と周面部２３との接触によってのみ支持されている。次に、そのようにしてレンズホルダー２１を支持している前ケース２の後面側に、軸支部１４、１４の切り欠き内へ軸部２４、２４を入り込ませつつ、後ケース３を組み付ければよい。すると、上述したように軸部２４、２４は軸支部１４、１４に軸支され、レンズホルダー２１が軸部２４、２４を軸として上下方向へ回転可能、すなわちカメラがチルト角度を調整可能に本体ケース内に設置されて、インターホン子機１が組み立てられることになる。
【００１９】
そして、当該組み立て状態において、レンズホルダー２１の軸部２４、２４は、たとえば軸孔等のように外周面全てが接触した状態で軸支されているわけではなく、後側半分のみが軸支部１４、１４の切り欠きの内縁に当接しているにすぎない。したがって、軸部２４や軸支部１４における切り欠きの形状に係る精度等に関し、軸孔等で軸支する構造ほど高い精度がなくとも、レンズホルダー２１の周面部２３とリブ１２の内周面との密着状態を好適に維持したまま、レンズホルダー２１を回転可能に支持することができる。
【００２０】
以上のような構成を有するインターホン子機１によれば、前ケース２に、レンズホルダー２１の周面部２３が当接可能な球面を有するリブ１２を設ける一方、後ケース３に、レンズホルダー２１の軸部２４、２４が入り込み可能なＵ字状の切り欠きを有する軸支部１４、１４を設けており、軸部２４、２４の外周面の後側半分のみを軸支部１４、１４の切り欠きの内縁に当接させた状態で、レンズホルダー２１を軸支可能としている。すなわち、従来の如く軸孔に軸部を挿通させる等して軸部の外周面全てを支持するわけではないため、軸部２４、２４や軸支部１４、１４の形状に係る精度等に従来ほどの精度を必要とすることなく、レンズホルダー２１の周面部２３とリブ１２の内周面との密着状態を好適に維持したまま、レンズホルダー２１を回転可能に支持することができる。したがって、製造コストを抑えつつもレンズホルダー２１側と前ケース２側とを良好に密着させることができるという効果がある。
【００２１】
また、レンズ６を保持したレンズホルダー２１を、その周面部２３をリブ１２の内周面に当接させて前ケース２の後面側に載置した後、軸支部１４、１４の切り欠き内へ軸部２４、２４を入り込ませつつ、後ケース３を前ケース２の後面側に組み付けることで、インターホン子機１の組み立てを可能としている。したがって、従来のように、軸部を軸孔に挿通させて軸支させつつ、レンズホルダー側と前ケース側を密着させたりする必要がないため、インターホン子機１の組み立て作業を簡易化することができる。
【００２２】
なお、本発明に係るインターホン機器は、上記実施形態の態様に何ら限定されるものではなく、インターホン機器の全体的な構成は勿論、レンズホルダーそのものやレンズカバーの組み付けに係る構造等に係る構成についても、本発明の趣旨を逸脱しない範囲で、必要に応じて適宜変更することができる。
【００２３】
たとえば、上記実施形態では、リブの内周面を全て球面としているが、リブの内周面のうち前側のみを球面とし、後側についてはレンズホルダーの嵌め込みを許容する円周面として形成することも可能である。
また、レンズホルダーにおいて、操作摘みを軸部と一体成形しているが、操作摘みをレンズホルダーとは別部材として設けても何ら問題はない。
さらに、上記実施形態では、Ｕ字に形成された切り欠きを有する軸支部を支持部として設けているが、支持部は、レンズホルダーの軸部の外周面の後側にのみ当接しさえすればよいため、たとえば先端面が平らなリブを支持部として設けても何ら問題はない。ただし、Ｕ字状の切り欠きで支持することにより、カメラのチルト角度を調整する際に、軸部が上下方向にずれてしまう事態を確実に防止することができるという効果がある。
加えて、上記実施形態では、インターホン機器の一例であるインターホン子機について説明しているが、本体ケースの前方を撮像するカメラをチルト角度調整可能に備えてさえいれば、集合玄関機等の他のインターホン機器であっても何ら問題はない。
【符号の説明】
【００２４】
１・・インターホン子機、２・・前ケース、３・・後ケース、５・・カメラ窓、６・・レンズ、１２・・リブ（当接面部）、１４・・軸支部、２１・・レンズホルダー、２３・・周面部（球状面）、２４・・軸部。
【図１】
2017034300.tif 000003
【図２】
2017034300.tif 000004
【図３】
2017034300.tif 000005
【図４】
2017034300.tif 000006
【図５】
2017034300.tif 000007
【図６】
2017034300.tif 000008
【図７】
2017034300.tif 000009
【図８】
2017034300.tif 000010